(57)【要約】【課題】電子カメラの温度上昇を制限または緩やかにすることにより、実使用可能な状態を長くする。【解決手段】本発明の電子カメラは、消費電力の異なる少なくとも３つの動作モードを有するものであって、温度検出部と、制御部とを備えている。温度検出部は、電子カメラの温度を検出して、検査温度として出力する。制御部は、検査温度に基づいて、検査温度が高いほど低消費電力で動作するように、動作モードを段階的に切り替えることで、温度上昇の抑制を図る。このため、途中の段階において、温度の下降作用を期待できる。従って、電子カメラの実使用可能な時間を長くできる。【選択図】      図１
2004248059.tif 000002
【特許請求の範囲】
【請求項１】
消費電力の異なる少なくとも３つの動作モードを有する電子カメラであって、
電子カメラの温度を検出して、検査温度として出力する温度検出部と、
前記検査温度に基づいて、前記検査温度が高いほど低消費電力で動作するように、前記動作モードを段階的に切り替える制御部と
を備えていることを特徴とする電子カメラ。
【請求項２】
請求項１記載の電子カメラにおいて、
撮影レンズにより形成される光像を撮像して、画像データを生成する撮像部と、  前記撮像部が生成する前記画像データに画像処理を施す画像処理部と
を備え、
前記制御部は、前記動作モードを段階的に切り替えるに際して、前記画像処理部における静止画の前記画像データに画像処理を施す部分の動作周波数を始めに下げる
ことを特徴とする電子カメラ。
【請求項３】
請求項２記載の電子カメラにおいて、
前記制御部は、電子カメラの撮影開始後、前記動作モードを動作周波数の高いものに設定し、前記画像処理部が静止画の前記画像データに画像処理を施した後、前記動作モードを前記撮影開始前のものに戻す
ことを特徴とする電子カメラ。
【請求項４】
請求項１〜請求項３のいずれか１項記載の電子カメラにおいて、
最も低消費電力の前記動作モードに設定されている場合に、電子カメラの温度が高いことを警告する警告部を備えている
ことを特徴とする電子カメラ。
【発明の詳細な説明】
【０００１】
【発明の属する技術分野】
本発明は、電子カメラの温度上昇を抑制する技術に関する。
【０００２】
【従来の技術】
従来より、電子カメラでは、画像処理を行うシステムＬＳＩチップや電池などの発熱により、カメラ内温度が高くなることがあった。カメラ内温度が高くなると、撮像素子の出力信号に含まれるノイズが増加して、画質が劣化するおそれがある。
【０００３】
そこで、特許文献１は、カメラ内温度が所定値を超えた場合に、以下に挙げる発熱対策処理のいずれかまたは複数を実行する方法を提案している。この発熱対策処理は、バックライトの消灯、焦点調節動作の停止、閃光装置への給電の禁止、カメラ電源のオフ動作、記録媒体内の画像データの再生の禁止、記録媒体への記録の禁止などである。これにより、バックライトや電池の発熱を低減してカメラ内温度の上昇を抑制し、撮像素子の出力信号に含まれるノイズを低減している。
【０００４】
【特許文献１】
特開２００２−１３５６３６号公報  （第５−７項、第３−５図）
【０００５】
【発明が解決しようとする課題】
特許文献１の発明は、上述したように優れた作用効果を有している。しかし、できる限り液晶モニタのバックライトをオフしたり、カメラ電源をオフすることなく、カメラ内温度の上昇を抑制できることが望ましい。なぜなら、すぐに撮影できない、液晶モニタ上の表示内容を確認しにくいなどの不便が考えられるからである。
【０００６】
また、撮影動作及び画像処理の高速化（クロックの高周波化）に伴い、上述したシステムＬＳＩチップのさらなる温度上昇や、バスアクセスでの貫通電流による発熱が懸念されている。一方、電子カメラの小型化により、内部で発生した熱を外部に放熱させることが難しくなっている。従って、発熱を抑制することが重要となっている。
【０００７】
本発明の目的は、電子カメラの温度上昇を制限または緩やかにすることにより、実使用可能な状態を長くする技術を提供することである。
【０００８】
【課題を解決するための手段】
請求項１の電子カメラは、消費電力の異なる少なくとも３つの動作モードを有するものであって、温度検出部と、制御部とを備えていることを特徴とする。温度検出部は、電子カメラの温度を検出して、検査温度として出力する。制御部は、検査温度に基づいて、検査温度が高いほど低消費電力で動作するように、動作モードを段階的に切り替える。
【０００９】
請求項２の電子カメラは、請求項１記載の発明において、以下の３点を特徴とする。第１に、撮影レンズにより形成される光像を撮像して、画像データを生成する撮像部を備えている。第２に、撮像部が生成する画像データに画像処理を施す画像処理部を備えている。第３に、制御部は、動作モードを段階的に切り替えるに際して、画像処理部における静止画の画像データに画像処理を施す部分の動作周波数を始めに下げる。
【００１０】
請求項３の電子カメラは、請求項２記載の発明において、『制御部は、電子カメラの撮影開始後、動作モードを動作周波数の高いものに設定し、画像処理部が静止画の画像データに画像処理を施した後、動作モードを撮影開始前のものに戻す。』ことを特徴とする。
請求項４の電子カメラは、請求項１〜請求項３のいずれか１項記載の発明において、『最も低消費電力の動作モードに設定されている場合に、電子カメラの温度が高いことを警告する警告部を備えている。』ことを特徴とする。
【００１１】
【発明の実施の形態】
以下、図面を用いて本発明の実施の形態を説明する。
＜本実施形態の構成＞
図１は、本発明の電子カメラの構成を示すブロック図である。図において、電子カメラ１０は、交換可能な撮影レンズ１４と、ＣＣＤ１６と、アナログ信号処理部１８と、Ａ／Ｄ変換部２０と、タイミングジェネレータ２４と、システムバス２８と、システムＬＳＩ３２と、操作部３６と、制御用ＣＰＵ４０と、温度センサ４４と、画像メモリ（ＲＡＭ）４８と、プログラムメモリ（ＲＯＭ）５２と、カードインターフェース５６と、交換可能なメモリカード６０と、ＵＳＢインターフェース６４と、ＵＳＢ（登録商標）６８と、モニタ制御部７２と、表示モニタ７６と、バックライト８０とで構成されている。
【００１２】
アナログ信号処理部１８及びＡ／Ｄ変換部２０は、ＣＣＤ１６からの画素出力に、クランプ処理、感度補正処理、Ａ／Ｄ変換などを施し、画像データを生成する。
システムＬＳＩ３２は、Ａ／Ｄ変換部２０から入力される画像データに、画像処理を施す。システムＬＳＩ３２は、多くの画像処理系統を１つの半導体チップに搭載したものであるため、内部の素子数が多い。このため、本実施形態の電子カメラ１０内では、システムＬＳＩ３２の温度が最も高くなり易いと考えられる。従って、温度センサ４４は、システムＬＳＩ３２の近く（例えば、システムＬＳＩ３２が搭載されるプリント配線板上など）に固定される。
【００１３】
制御用ＣＰＵ４０は、温度センサ４４が検査温度Ｔとして出力する電子カメラ１０内の温度に基づいて、電子カメラ１０の動作モードを段階的に切り替える。この動作の詳細は後述する。また、制御用ＣＰＵ４０は、システムバス２８を介して、電子カメラ１０のシステム制御を行う。
操作部３６は、電源釦、レリーズ釦などの撮影及び電子カメラ１０の設定に必要な釦群を有している（図示せず）。
【００１４】
他の各部の機能、撮影動作、及び撮像後の画像処理は、従来の電子カメラと同様であるので、説明を省略する。
図２は、前記した動作モードの概要を示す表（テーブルデータ）である。図２に示すように、電子カメラ１０は、消費電力の高い（即ち、動作速度の速い）順に、通常高速モード、中速モード、準低速モード、低速モード、超低速モードの５つの動作モードを有している。さらに、電子カメラ１０は、スリープモードを有し、これらの６つのモードのいずれかに設定される。以下、図２の見方を簡単に説明する。
【００１５】
通常高速モードでは、システムＬＳＩ３２内のクロックは最大周波数の９０ＭＨｚに設定され、システムバス２８のクロックは７２ＭＨｚに設定され、カードインターフェース５６とメモリカード６０との通信周波数及びＵＳＢインターフェース６４とＵＳＢ６８との通信周波数は３６ＭＨｚに設定される。また、例えば、準低速モードに設定されている場合、前記した検査温度Ｔが６５℃以上になったとき、低速モードに切り替わり、検査温度Ｔが５５℃未満になったとき、中速モードに切り替わる。
【００１６】
＜本実施形態の動作説明＞
図３は、上述した電子カメラ１０における温度上昇を抑制するための動作を示す流れ図である。以下、前述した図２を用いながら、図３に示すステップ番号に従って、この動作を説明する。
［ステップＳ１］
電源釦がオンされると、制御用ＣＰＵ４０は、電子カメラ１０の各部を初期化する。そして、制御用ＣＰＵ４０は、電子カメラ１０の動作モードを、例えば、通常高速モードに設定する（後述するようにバックライト８０がオフされる超低速モード、及びスリープモード以外なら他のものでもよい）。
【００１７】
［ステップＳ２］
温度センサ４４は、電子カメラ１０内の温度を検査温度Ｔとして検出し、制御用ＣＰＵ４０に入力する。
【００１８】
［ステップＳ３］
制御用ＣＰＵ４０は、検査温度ＴがＴ２（この例では７０℃）以上か否かを判定する。７０℃以上の場合、ステップＳ４に進む。また、制御用ＣＰＵ４０は、検査温度ＴがＴ１（この例では５０℃）未満か否かを判定する。５０℃未満の場合、ステップＳ５に進む。これらに該当しない（５０℃以上７０℃未満の）場合、ステップＳ６に進む。
【００１９】
［ステップＳ４］
制御用ＣＰＵ４０は、モニタ制御部７２を介して表示モニタ７６に、例えば、『カメラ内温度上昇のため、スリープモードに移行します。』と警告表示させる。表示から所定の期間経過後、制御用ＣＰＵ４０は、電子カメラ１０の各部をオフしてスリープモードにするための処理を実行する。そして、電子カメラ１０は、動作を停止する。
スリープモードでも、不図示のバッテリーの残量がある限り、制御用ＣＰＵ４０は、待機状態として動作する。このため、スリープモードでユーザが操作部３６を操作したとき、制御用ＣＰＵ４０は、ステップＳ１と同様に各部を初期化した後、ステップＳ２に進む。
なお、検査温度Ｔが７０℃以上の場合、スリープモードに設定するのではなく、警告表示後に電子カメラ１０の電源オフ処理を実行してもよい。
【００２０】
［ステップＳ５］
制御用ＣＰＵ４０は、図２の説明で述べたシステムＬＳＩ３２内のクロック周波数、システムバス２８のクロック周波数などを切り替えることで（図１の破線矢印に対応）、電子カメラ１０を通常高速モードに設定する。なお、既にその動作モードに設定されている場合には、設定を変更しない（以下のステップＳ７、Ｓ８の説明でも同様）。そして、ステップＳ９に進む。
【００２１】
［ステップＳ６］
制御用ＣＰＵ４０は、検査温度ＴがＴ３（この例では６８℃）以上か否かを判定する。６８℃以上の場合、ステップＳ７に進み、６８℃未満の場合、ステップＳ８に進む。
【００２２】
［ステップＳ７］
制御用ＣＰＵ４０は、電子カメラ１０を超低速モードにするため、前述したクロック周波数、通信周波数を切り替える。同時に、制御用ＣＰＵ４０は、モニタ制御部７２を介して表示モニタ７６に、例えば、『超低速モードで動作中』のような警告表示をさせる。これにより、ユーザは、『現在カメラ内温度が高い状態である。従って、これ以上カメラ内温度が上昇すると、スリープモードに切り替わって各部がオフする。』ことを知らされる。そして、この警告表示から所定の期間経過後、バックライト８０はオフされる。この後、ステップＳ９に進む。
なお、表示モニタ７６として微反射の液晶モニタを使用すれば、バックライト８０がオフしても、周囲光により表示内容をある程度確認できる。
【００２３】
［ステップＳ８］
制御用ＣＰＵ４０は、検査温度Ｔ、現在の動作モード、及び図２に示したテーブルデータに基づいて、以下のように動作モードの切り替えまたは継続を行う。なお、このステップに到達するのは、ステップＳ３、Ｓ６により検査温度Ｔが５０℃以上６８℃未満と判定された場合であり、ここでスリープモードに設定されていることはない。
【００２４】
（１）  通常高速モードに設定されている場合
検査温度Ｔが５５℃以上か否かを判定し、５５℃以上の場合、中速モードに切り替える。５５℃未満の場合、動作モードを変更しない。
（２）  中速モードに設定されている場合
検査温度Ｔが６０℃以上か否かを判定し、６０℃以上の場合、準低速モードに切り替える。６０℃未満の場合、動作モードを変更しない。
【００２５】
（３）  準低速モードに設定されている場合
検査温度Ｔが６５℃以上か否かを判定し、６５℃以上の場合、低速モードに切り替える。また、検査温度Ｔが５５℃未満か否かを判定し、５５℃未満の場合、中速モードに切り替える。これらに該当しない場合、動作モードを変更しない。
（４）  低速モードに設定されている場合
検査温度Ｔが６８℃以上か否かを判定する。６８℃以上の場合、ステップＳ７と同様の動作で超低速モードに切り替える。また、検査温度Ｔが６０℃未満か否かを判定し、６０℃未満の場合、準低速モードに切り替える。これらに該当しない場合（６０℃以上６８℃未満の場合）、動作モードを変更しない。
（５）  超低速モードに設定されている場合
検査温度Ｔが６５℃未満か否かを判定し、６５℃未満の場合、低速モードに切り替えると共に、前記した警告表示を解除する。６５℃以上の場合、動作モードを変更しない。
【００２６】
この後、ステップＳ９に進む。なお、図２のように、各動作モード間の切り替えには、ヒステリシスを持たせることが望ましい。なぜなら、例えば、検査温度Ｔが５０℃以上５５℃未満のときは中速モード、５５℃以上６０℃未満のときは準低速モードのように、現在の動作モードに拘わらず、所定の温度を境に動作モードを切り替える場合、以下の問題が考えられるからである。これは、各動作モードの境界温度付近で、検査温度Ｔが微小な変動をした場合に、動作モードが何回も切り替わることである。
【００２７】
［ステップＳ９］
制御用ＣＰＵ４０は、操作部３６のレリーズ釦が半押しされているか否かを判定する。半押しされている場合、ステップＳ１０に進み、されていない場合、ステップＳ２に戻る。
［ステップＳ１０］
制御用ＣＰＵ４０は、電子カメラ１０を一時的に通常高速モードに切り替える。そして、ステップＳ１１に進む。
【００２８】
［ステップＳ１１］
制御用ＣＰＵ４０及びシステムＬＳＩ３２は、撮影レンズ１４の焦点調節（ＡＦ）、露出制御（撮影レンズ１４の絞り、露光時間、ＣＣＤ１６の撮像感度を適正値に設定する）、ホワイトバランス調整などの撮影前の準備を行う。
［ステップＳ１２］
制御用ＣＰＵ４０は、レリーズ釦が全押しされているか否かを判定する。全押しされている場合、ステップＳ１５に進み、されていない場合、ステップＳ１３に進む。
【００２９】
［ステップＳ１３］
制御用ＣＰＵ４０は、レリーズ釦が半押しされているか否かを判定する。半押しが解除されている場合、ステップＳ１４に進み、まだ半押しされている場合、ステップＳ１２に戻る。
［ステップＳ１４］
制御用ＣＰＵ４０は、電子カメラ１０のモードを、ステップＳ１０で通常高速モードに切り替える前のモードに戻す。そして、ステップＳ２に戻る。
【００３０】
［ステップＳ１５］
公知の撮影動作が行われ、生成された静止画の画像データは、Ａ／Ｄ変換部２０からシステムＬＳＩ３２に入力される。システムＬＳＩ３２は、この静止画の画像データに、ホワイトバランス調整、ガンマ補正、色補間、色変換、色補正（例えば、彩度強調処理）を施す。そして、ステップＳ１６に進む。
【００３１】
［ステップＳ１６］
制御用ＣＰＵ４０は、電子カメラ１０のモードを、ステップＳ１０で通常高速モードに切り替える前のモードに戻す。そして、ステップＳ１７に進む。
【００３２】
［ステップＳ１７］
システムＬＳＩ３２は、ステップＳ１５で画像処理を施された画像データに、輪郭強調処理、画像圧縮（例えば、ＪＰＥＧ変換）を施す。そして、システムＬＳＩ３２は、圧縮後の画像データを、カードインターフェース５６を介してメモリカード６０に記録する。
そして、ステップＳ２に戻り、温度センサ４４及び制御用ＣＰＵ４０は、検査温度Ｔの検出及び動作モードの再設定の動作を繰り返す。この温度検出及びモード再設定動作は十分短い期間で繰り返されるため、急激な温度上昇などがない限り、動作モードは段階的に切り替わる。
以上が本実施形態の電子カメラ１０の動作説明である。
【００３３】
＜本実施形態の効果＞
本実施形態では、電子カメラ１０内の温度を検査温度Ｔとして常時検出する。そして、検査温度Ｔが高いほど低速且つ低消費電力で動作するように段階的に動作モードを切り替え、温度上昇の抑制を図る（ステップＳ５、Ｓ７、Ｓ８）。このため、通常の動作モード（この例では通常高速モード）よりも低消費電力の動作モードにおいて、温度の下降作用を期待できる。従って、従来の電子カメラよりも、実使用可能な時間を長くできる。
【００３４】
また、段階的に動作モードを切り替えて温度上昇の抑制を図るため、急激な温度上昇などがない限り、低速モードから、警告表示の有る超低速モードを介さずにスリープモードに移行するようなことはない。従って、できる限りバックライト８０をオフしたりスリープモードにすることなく、電子カメラ１０の温度上昇を抑制できる。
【００３５】
電子カメラ１０の温度が上昇する場合、制御用ＣＰＵ４０は、システムＬＳＩ３２の動作周波数を始めに下げる（図２における通常高速モードから低速モードへの遷移を参照）。前述したように、システムＬＳＩ３２は、本実施形態の電子カメラ１０内では、最も温度が高くなり易い部分と考えられる。即ち、最も発熱し易い部分の動作周波数を始めに下げるので、電子カメラ１０の温度上昇を効率的に抑制できる。
【００３６】
上述の温度上昇の抑制に際して、制御用ＣＰＵ４０は、レリーズ釦が半押しされてから、撮像画像のデータに色補正処理を施すまでの間、検査温度Ｔに拘わらず一時的に高速モードに設定する。このため、ユーザが次の撮影を早く実行することを可能にしながら、電子カメラ１０の温度上昇を抑制できる。
また、低速モードから超低速モードに切り替わる場合、警告表示により『カメラ内温度が高い』ことをユーザに知らせてから所定の期間経過後、バックライト８０をオフする。スリープモードへの切り替えも、同様の警告表示から所定の期間経過後に行われる。このため、ユーザへの事前の通告無しにバックライト８０がオフしたりスリープモードに切り替わることはない。従って、ユーザに状況を知らせながら（故障ではないかという誤解を招くことなく）、電子カメラ１０を温度上昇から保護できる。
【００３７】
＜本実施形態の補足事項＞
［１］  なお、本実施形態では、低速モードまではバックライト８０をオン状態にし、超低速モードからはバックライト８０をオフする例を述べた。本発明は、かかる実施形態に限定されるものではない。各動作モードに応じて、バックライト８０の輝度を段階的に下げてもよい。この場合、例えば、通常高速モードでは最大輝度の１００％、中速モードでは９０％、準低速モードでは８０％、低速モード７０％、超低速モード及びスリープモードではオフにすればよい。
【００３８】
［２］  温度センサ４４がシステムＬＳＩ３２の周辺温度を検出する例を述べた。本発明は、かかる実施形態に限定されるものではない。温度センサは、電子カメラにおいて最も温度が高くなり易いと考えられる部分の温度を検出することが望ましい。或いは、複数の温度センサにより複数箇所の温度を検出し、これらの内、最も高いものを検査温度Ｔとして温度制御に用いてもよい。
【００３９】
また、温度検出の部分は、電子カメラ内部に限定されるものではない。例えば、別の温度センサ（４４ｂとする）を電子カメラ１０の筐体上（外側）に固定してもよい。この場合、温度センサ４４、４４ｂが検出する温度の内、高いほうを検査温度Ｔとして温度制御に用いればよい。このようにすれば、例えば、電子カメラ１０が車のボンネット上に置かれて、外温の上昇に伴って電子カメラ１０の筐体の温度が上昇した場合にも、電子カメラ１０を熱から保護できる。
【００４０】
［３］  レリーズ釦が半押しされてから、撮像画像のデータに色補正を施すまでの間、検査温度Ｔに拘わらず通常高速モードに例を述べた。本発明は、かかる実施形態に限定されるものではない。ステップＳ１５で行った各処理（ホワイトバランス調整、ガンマ補正、色補間、色変換、色補正）のいずれかまたは複数を、ステップＳ１７で行ってもよい。
或いは、ステップＳ１５で、輪郭強調処理まで行ってもよい。
或いは、ステップＳ１５で、画像圧縮まで行ってもよい。この場合、画像メモリに残る画像データのサイズが小さくなるので、高速連写できるコマ数が少なくなる可能性は低減される。なお、メモリカード６０への記録処理は、次の撮影が終了してから低速で行っても問題ない。なぜなら、画像メモリ４８に画像データを残しておけばよいからである。
【００４１】
［４］  超低速モード、及びスリープモードへの切り替えに際して、表示モニタ７６に警告表示する例を述べた。本発明は、かかる実施形態に限定されるものではない。警告の方法は、音などの他の形態でもよい。
【００４２】
［５］  電子カメラ１０を５つの動作モード及びスリープモードのいずれかに設定する例を述べた。本発明は、かかる実施形態に限定されるものではない。動作モードの数は、７以上でも５以下でもよい（但し、少なくとも３つは必要）。同様に、図２に示した温度や周波数は、参考のために開示した一例であり、本発明を限定するものではない。
【００４３】
［６］  ステップＳ９でレリーズ釦が半押しされた後、ステップＳ１０で通常高速モードに切り替える例を述べた。本発明は、かかる実施形態に限定されるものではない。例えば、ステップＳ１０を省略して、ステップＳ１２でレリーズ釦が全押しされた後（ステップＳ１５の前）、通常高速モードに切り替えてもよい。
【００４４】
或いは、ステップＳ１０及びＳ１６を省略してもよい。即ち、レリーズ釦の半押しにより電子カメラ１０が撮影直前準備動作を始めた場合でも、通常高速モードに移行しないようにしてもよい。この場合、ユーザに対しては、動作速度の低下により、若干の違和感や不具合感を生じさせるかもしれない。しかし、電子カメラ１０に対しては、高温時に高速動作を行うという負荷をかける状況が発生しなくなる。従って、電子カメラ１０の各部に対して、温度上昇による悪影響を与えることを極力少なくできる。
【００４５】
＜請求項との対応関係＞
最後に、請求項と本実施形態との対応関係を説明する。なお、以下に示す対応関係は、参考のために示した一解釈であり、本発明を限定するものではない。
請求項記載の温度検出部は、温度センサ４４に対応する。
請求項記載の制御部は、制御用ＣＰＵ４０に対応する。
【００４６】
請求項記載の撮像部は、ＣＣＤ１６、アナログ信号処理部１８、及びＡ／Ｄ変換部２０に対応する。
請求項記載の画像処理部は、システムＬＳＩ３２に対応する。
請求項記載の『画像処理部における静止画の前記画像データに画像処理を施す部分』は、『撮像後の静止画の画像データにステップＳ１５までの画像処理を施すシステムＬＳＩの機能』に対応する。
【００４７】
請求項記載の『撮影開始後、前記動作モードを動作周波数の高いものに設定し、前記画像処理部が静止画の前記画像データに画像処理を施した後、前記動作モードを前記撮影開始前のものに戻す』は、『ステップＳ１０で通常高速モードに切り替え、ステップＳ１６で通常高速モードに切り替える前のモードに戻す制御用ＣＰＵ４０の機能』に対応する。
【００４８】
請求項記載の『最も低消費電力の前記動作モード』は、超低速モードに対応する。
請求項記載の『温度が高いことを警告表示する表示部』は、表示モニタ７６、及び表示モニタ７６に警告表示させる制御用ＣＰＵ４０の機能に対応する（ステップＳ７参照）。
【００４９】
【発明の効果】
本発明では、電子カメラの温度を検出して、検出した温度が高いほど低消費電力で動作するように段階的に動作モードを切り替える。このため、途中の段階（低消費電力の動作モード）において、温度の下降作用を期待できる。従って、電子カメラの実使用可能な時間を長くできる。
【図面の簡単な説明】
【図１】本発明の電子カメラの構成を示すブロック図である。
【図２】本発明の電子カメラの動作モードの概要を説明する表である。
【図３】本発明の電子カメラの動作を示す流れ図である。
【符号の説明】
１０  電子カメラ
１４  撮影レンズ
１６  ＣＣＤ
１８  アナログ信号処理部
２０  Ａ／Ｄ変換部
２４  タイミングジェネレータ
２８  システムバス
３２  システムＬＳＩ
３６  操作部
４０  制御用ＣＰＵ
４４  温度センサ４４
４８  画像メモリ
５２  プログラムメモリ
５６  カードインターフェース
６０  メモリカード
６４  ＵＳＢインターフェース６４
６８  ＵＳＢ
７２  モニタ制御部
７６  表示モニタ
８０  バックライト
【図１】
2004248059.tif 000003
【図２】
2004248059.tif 000004
【図３】
2004248059.tif 000005